(57)【要約】【課題】新規な図案化地図及び前記地図を利用した商品化システムを提供する。【解決手段】世界地図のうちから任意に選択した国の地図の地形を特徴的に表現して描いた地形地図２を利用して、当該国の国旗３を、その国旗３に使用されている色彩を用いてデフォルメして表現し、前記国のデフォルメ地図１を作成する。デフォルメ地図１の一覧表を作成し、任意の国のデフォルメ地図を選択して印刷等で表示した商品を製造する。【選択図】図１
2006091071.tif 000002
【特許請求の範囲】
【請求項１】
世界地図のうちから任意に選択した国の地図の地形を描いた地形地図を利用して、当該国の国旗を表現し、前記国のデフォルメ地図を作成してなることを特徴とする、図案化地図。
【請求項２】
請求項１に記載の複数国のデフォルメ地図でデフォルメ地図一覧表を構成したことを特徴とする、図案化地図。
【請求項３】
請求項１又は２に記載の図案化地図を商品に表示することを特徴とする、図案化地図を利用した商品化システム。
【請求項４】
請求項１又は２に記載の図案化地図でシールを構成したことを特徴とする、図案化地図を利用した商品化システム。
【発明の詳細な説明】
【技術分野】
【０００１】
本発明は、国の地図をデフォルメして作成した図案化地図及び前記地図を利用した商品化システムに関するものである。
【背景技術】
【０００２】
従来、世界地図や特定の国の地図をデフォルメして作成したものは一般に知られている（従来例１）。この従来例１は単に世界地図や特定の国の地図をデフォルメして作成したものである。
また、世界地図を表示した時計等の商品も提案されている（例えば、特許文献１及び２参照）。これらの特許文献に記載の地図も単に世界地図を時計の文字盤等に表示したものである。
他の例として、国旗等を印刷したシールも提案されている（例えば、特許文献３及び４参照）。これらの文献に記載のものは、単に国旗等の絵柄を印刷したものである。
【０００３】
上記したように、デフォルメした地図や世界地図を表示した商品、或いは国旗を印刷したシールは知られている。しかし、国の地図と国旗とを組合わせて作成した図案化地図は未だ提案されていない。
【特許文献１】特開２００１−３４９９６５号公報
【特許文献２】実公平６−１７１００号公報
【特許文献３】実用新案登録第３０６４９３９号公報
【特許文献４】特開２００３−２９５７６８号公報
【発明の開示】
【発明が解決しようとする課題】
【０００４】
本発明は上記のような実情に鑑み、国の地図と国旗とを組合わせた新規斬新的な図案化地図及び前記地図を利用した商品化システムを提供することを目的とするものである。
【課題を解決するための手段】
【０００５】
前記目的を達成するため、本発明のうち１つの発明（第１の発明）は、図案化地図であって、世界地図のうちから任意に選択した国の地図の地形を描いた地形地図を利用して、当該国の国旗を表現し、前記国のデフォルメ地図を作成してなることを特徴とする。本発明において、国の地図の地形は写実的に描くこともできるが、特徴的或いは概略的等に任意にデフォルメする等により表現し、描くことができる。この場合において、国の地図中、一部の地域や島等を省略することもできる。
【０００６】
本発明のうち、他の１つの発明（第２の発明）は、図案化地図であって、複数国の第１の発明に記載のデフォルメ地図でデフォルメ地図一覧表を構成したことを特徴とする。第２の発明において、前記地図一覧表を構成する国の数は任意に決めることができる。
【０００７】
本発明のうち、他の１つの発明（第３の発明）は、図案化地図を利用した商品化システムであって、第１又は第２の発明に記載の図案化地図を商品に表示することを特徴とする。第３の発明において、前記商品の種類や分野等は特に限定されるものではなく、任意の商品に適応可能である。前記地図を商品へ表示する手段は特に限定するものではなく、印刷その他の手段を任意に選択して採用することができる。
【０００８】
本発明のうち他の１つの発明（第４の発明）は、図案化地図を利用した商品化システムであって、第１又は第２の発明に記載の図案化地図でシールを構成したことを特徴とする。
【発明の効果】
【０００９】
第１の発明によれば次のような効果を奏する。（１）国の地形と国旗とを合わせ見ることにより、該当する国名が一見して判る。（２）意匠美を向上させ、趣雅に富む図案化地図を提供することができる。（３）従来の地図とは趣向を全く異にする斬新的な図案化地図を提供することができる。
第２の発明によれば、第１の発明効果に加え、複数の国の図案化地図を一覧することができる。したがって、図案化地図を利用した商品を製造する際等、前記地図の利用価値を向上することができる。
【００１０】
第３の発明によれば、前記した効果に加え次の用な効果を奏する。（１）パソコン等で前記図案化地図を表示した商品の写真的な見本を紙面上で簡単に作成することができる。したがって、新しい商品の企画や開発する際等に大いに役に立つと共に、新商品の開発促進に貢献することができる。（２）前記図案化地図を表示した商品を店頭で販売することにより、例えば、観光旅行やビジネス等で訪日した外国人は自国のシンボルが表示されている商品に興味を示し、記念品等として購入することが多くなる。したがって、当該商品の販売を促進し、我が国の経済効果の向上に貢献する。（３）商品のコレクターやマニアにとって興味を示す商品を提供することができるので、前記と同様に商品の販売を促進する効果がある。
第４の発明によれば、第１及び第２の発明の効果に加え、図案化地図でシールを構成してあるので、図案化地図を任意の商品等へ粘着（貼着）して使用することができる。
【発明を実施するための最良の形態】
【００１１】
以下、図面を参照して本発明の実施の形態の一例を説明する。
【００１２】
図１は本発明の図案化地図の一実施の形態を示すもので、同図（ａ）は図案化地図の一例を示す説明図、同図（ｂ）は同図（ａ）の図案化地図を表示した商品の一例を示す説明図、図２は図１（ａ）の部分を拡大して示す説明図、図３は同１（ｂ）の部分を拡大して示す説明図である。
【００１３】
図１〜図２において、この実施の形態（実施の形態１）の図案化地図は、図１（ａ）及び図３に詳細に示すように国のデフォルメ地図１で作成されている。
前記デフォルメ地図１は世界地図（図示せず）のうちから任意に選択した国の地図の地形を描いた地形地図２を利用して当該国の国旗３を表現し、創作してある。前記デフォルメ地図１は、該当する国の国旗３を、地形地図２の地形全体を利用し、その国旗３に使用されている色彩を用いてデフォルメして表現し、創作されている。
【００１４】
前記国の選択は任意に行なうものであるが、例えば、一例として世界遺産に指定されている主要国等を選択して採用することができる。但し、上記したように、選択の基準等は何ら限定はなく、自由に行なえる。
【００１５】
前記地形地図２は、該当する国の地形（形状）を写実的に描くこともできるが、特徴的或いは概略的等、任意にデフォルメする等により表現して描くことができる。この場合において、国の地図中、一部の地域や島等を省略してもよい。
【００１６】
デフォルメ地図１は前記したように、地形地図２の全体を利用し、その国の国旗３を色彩を用いてデフォルメして表現し、創作されている。
実施の形態１では、例えば日本の国のデフォルメ地図１は、地形地図２の本州のほぼ中部地域から青森県のエリアを赤色で彩色し、それ以外の地域を白色で彩色して作成されている。なお、日本国の地形地図２は、四国及び沖縄並びに大島その他の島は省略されている。
【００１７】
また、アメリカの国のデフォルメ地図１は、アラスカやハワイ等を省略して地形地図２を作成し、この地形地図２の全体を利用し、星条旗を色彩を利用して描いて作成されている。さらにまた、フランスの国のデフォルメ地図１は、フランスの地形地図２を青色，白色及び赤色でほぼ三分割して彩色して作成されている。さらにまた、イタリアの国のデフォルメ地図１は、イタリアの国の地形地図２を、イタリアの国旗３に使用されている色彩、即ち、緑色，白色及び赤色で区分けして彩色して作成されている。
【００１８】
なお、上記したデフォルメ地図は一例として開示したもので、上記の構成に限定されるものではなく、地形地図２を利用して、その国の国旗３に使用されている色彩を用いて自由にデフォルメして表現し、それぞれの国のデフォルメ地図を作成することができる。また、所望に応じ、デフォルメ地図１の中に都市等のマークを表示することもできる。
【００１９】
実施の形態１の図案化図形は複数個（図示では２１ケ国）のデフォルメ地図１，１…を台紙４にほぼ等間隔を存して並べてプリントし、デフォルメ地図一覧表を構成した例が開示されている。
図示のデフォルメ地図一覧表は、アメリカ，インド，インドネシア，ウズベキスタン，カンボジア，スリランカ，タイ，中国，日本，ネパール，エジプト・アラブ，オーストラリア，ブラジル，メキシコ，イギリス，イタリア，ギリシャ，クロアチア，スペイン，トルコ，フランスのそれぞれの国のデフォルメ地図で構成した例が開示されている。なお、前記一覧表を構成するデフォルメ地図は図示以外の任意の国のデフォルメ地図に変更できること勿論である。
【００２０】
前記のように構成した図案化地図は、例えば任意の商品に表示されて使用される。その一例が図１（ｂ）及び図３に開示されている。実施の形態１では図案化地図を腕時計５に表示した例が開示されている。
腕時計５に表示される図案化地図は、例えば前記デフォルメ地図一覧表の中から任意に選択することができる。商品５（腕時計）への表示方法は、例えば印刷等により行なえる。実施の形態１では、前記一覧表の中から選択した図案化地図を時計５の文字盤６に印刷により表示して商品化した例が開示されている。
【００２１】
実施の形態１では、前記一覧表のデフォルメ地図１のうちから、フランス，日本，スリランカ，ギリシャ，カンボジア，ウズベキスタン，アメリカ，インド，イタリア，イギリス，中国，ブラジルの１２ケ国のデフォルメ地図１を選択し、このデフォルメ地図１を時計５の文字盤６に印刷して表示し、１２種類の腕時計として商品化した例が開示されている。
【００２２】
前記図案化地図を表示した腕時計は、商品価値を高め、上述した諸効果を発揮する。また、実施の形態１のように、デフォルメ地図一覧表を作成することにより、複数の国の図案化地図を一覧できるので、図案化地図を利用した商品を製造する際等、前記地図の利用価値を高めることができる。
【００２３】
なお、実施の形態１では、図案化地図を時計（図示では腕時計）に表示した例を開示したが、他の任意の商品に適応できる。商品としては、例えば、事務用品や筆記具等の文房具、ブローチ，ネックレス，イヤリングその他の身飾品、頭飾品、ボタン類、バッジ、置物、雑貨品、小物、タイヤホイールその他の自動車部品、凾の装丁材、携帯電話等を挙げることができる。但し、上記商品は一例として挙げたもので、上記以外の商品に表示して利用できること勿論である。
【００２４】
図４は本発明の図案化地図で構成したシールの一実施の形態（実施の形態２）を示す説明図、図５は図４のＡ−Ａ線で切断し、一部を拡大して示す断面図、図６は図５に示すシール（シールシート）から剥離した一枚のシールを示す図であって、同図（ａ）は表面図、同図（ｂ）は同図（ａ）のＢ−Ｂ線断面図である。
【００２５】
この実施の形態２は、図案化地図でシールを構成したことを特徴とするものである。なお、実施の形態２において、実施の形態１で既に説明した構成と共通する部分には同一符号を付し、説明を省略する。
【００２６】
実施の形態２は、実施の形態１のデフォルメ地図一覧表をシール用紙７の表面にプリントすると共にシール用紙７の裏面全体に粘着剤層８を施してシールシート９を構成してある。
前記シート９は裏面側（粘着剤層８側）を剥離フィルムや剥離紙等の剥離シート１０に重合して剥離可能に添着してある。そして、シールシート９には、前記一覧表の各デフォルメ地図１のシール９ａ毎に切り離す切り込み線１１が施されている。他の構成は実施の形態１と同様である。
【００２７】
実施の形態２は上記のように構成され、所要時に前記一覧表の中から所望のシール９ａを剥離シート１０から剥離し、任意の商品等に粘着（貼着）する等により使用するものである。
【００２８】
なお、上記した各実施の形態は一例として開示したもので、本発明は上記の実施の形態に限定されるものではなく、特許請求の範囲に記載の技術思想を越脱しない範囲内において任意に変更可能なものである。
【図面の簡単な説明】
【００２９】
【図１】本発明の図案化地図の一実施の形態を示すもので、同図（ａ）は図案化地図の一例を示す説明図、同図（ｂ）は同図（ａ）の図案化地図を表示した商品の一例を示す説明図である。
【図２】図１（ａ）に示す図案化地図の部分を拡大して示す説明図である。
【図３】図１（ｂ）に示す商品の部分を拡大して示す説明図である。
【図４】本発明の図案化地図で構成したシールの一実施の形態を示す説明図である。
【図５】図４のＡ−Ａ線で切断し、一部を拡大して示す断面図である。
【図６】図５に示すシール（シールシート）から剥離した一枚のシールを示す図であって、同図（ａ）は表面図、同図（ｂ）は同図（ａ）のＢ−Ｂ線断面図である。
【符号の説明】
【００３０】
１      デフォルメ地図
２      地形地図
３      国旗
【図１】
2006091071.tif 000003
【図２】
2006091071.tif 000004
【図３】
2006091071.tif 000005
【図４】
2006091071.tif 000006
【図５】
2006091071.tif 000007
【図６】
2006091071.tif 000008